(57)【特許請求の範囲】
【請求項１】
各側壁が開口縁に向かって少し外に拡がるように傾斜状に形成され、該開口縁にはフランジが外向鍔状に形成され、該側壁に支脚部と該支脚部が嵌入し得るポケット部を形成し、下段の容器に対して上段の容器を水平面内で１８０度回転させて乗せることにより下段の容器のフランジ上に上段の容器を積み上げまたは下段の容器中に上段の容器を重ね合わせられるようにした矩形の運搬用容器において、前記フランジの内側縁に段状に低下した凹縁部を形成し、該凹縁部上に上段の容器の支脚部が支持されることで上段の容器が積み上げられるようにするとともに、上段の容器の側壁外側面で支脚部の下部に突設された寄せリブを遊嵌させる凹所を該凹縁部の内側縁に容器内方に向き開放状で容器内方から見て両端部が上方広がりの斜面状なるように形成し、該容器の隅角部に相当するフランジの内周縁には該凹縁部と同レベルで段状に低下していて通常容器の外寸に合わせた幅寸法の通常容器位置決載置用の円弧状凹縁部を形成してなることを特徴とした運搬用容器。
【請求項２】
凹所は凹縁部の内側縁に一連に形成したものである請求項１に記載の運搬用容器。
【発明の詳細な説明】
【０００１】
【発明の属する技術分野】
本発明は、下段の容器に対して上段の容器を水平面内で１８０度回転させて乗せることにより下段の容器のフランジ上に上段の容器を積み上げまたは下段の容器中に上段の容器を重ね合わせられるように構成された運搬用容器に関するものである。
【０００２】
【従来の技術】
積み上げまたは重ね合わせができる運搬用容器には、従来から実公昭６３−４０４５３号公報に示されたように、各側壁が開口縁に向かって少し外に拡がるように傾斜状に形成されているとともに、該側壁に膨出部が非対称に形成され、下段の容器に対して上段の容器を水平面内で１８０度回転させて乗せることにより上下段の容器の容器の膨出部どうしが互い違いになり積み上げ（以下、スタッキングという）できるようにしたタイプのもの、および、本出願人の登録実用新案である実公平７−３４８１５号公報等により知られているように、相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成し、下段の容器に対して上段の容器を水平面内で１８０度回転させて乗せることで下段の容器のポケット部に上段の容器の支脚部を嵌入させて容器どうしを重ね合わせ（以下、ネスティングという）できるようにしたタイプのものとがある。
【０００３】
【発明が解決しようとする課題】
ところで、このようにスタッキング，ネスティングを可能とした運搬用容器（以下、ＳＮ容器という）を、このような使い方のできない図１０に示したような通常の容器（以下、通常容器という）とともに使用しようとすると、ＳＮ容器と通常容器とが同じ外径のものであるとそのスタッキング時の相互嵌合が不可となることがあった。即ち、ＳＮ容器と通常容器とを混ぜて使用する場合でも自動倉庫，コンベア等の既存設備の都合上から外寸を同一にする必要がある場合が多く、その場合、相互嵌合が不可となると通常容器からＳＮ容器に順次切り替えることが困難となるものであった。
【０００４】
【課題を解決するための手段】
本発明はこのような課題を解消し得るＳＮ容器を提供しようとするもので、各側壁が開口縁に向かって少し外に拡がるように傾斜状に形成され、該開口縁にはフランジが外向鍔状に形成され、該側壁に支脚部と該支脚部が嵌入し得るポケット部を形成し、下段の容器に対して上段の容器を水平面内で１８０度回転させて乗せることにより下段の容器のフランジ上に上段の容器を積み上げまたは下段の容器中に上段の容器を重ね合わせられるようにした矩形の運搬用容器において、前記フランジの内側縁に段状に低下した凹縁部を形成し、該凹縁部上に上段の容器の支脚部が支持されることで上段の容器が積み上げられるようにするとともに、上段の容器の側壁外側面で支脚部の下部に突設された寄せリブを遊嵌させる凹所を該凹縁部の内側縁に容器内方に向き開放状で容器内方から見て両端部が上方広がりの斜面状なるように形成し、該容器の隅角部に相当するフランジの内周縁には該凹縁部と同レベルで段状に低下していて通常容器の外寸に合わせた幅寸法の通常容器位置決載置用の円弧状凹縁部を形成してなることを特徴とする。
【０００６】
また本発明は上記運搬用容器において、凹所は凹縁部の内側縁に一連に形成したものであることを特徴とする。
【０００７】
【発明の実施の形態】
次に図面に従い本発明の実施の形態を説明する。図１は本発明に係る運搬用容器の外観斜視図、図２は平面図である。この運搬用容器は、長側壁１，２と短側壁３，４が開口縁５に向かい少し外に拡がるように傾斜している矩形容器であり、該容器の開口縁にフランジ５が外向鍔状に形成される。６は該容器の外側面にフランジ５より少し間隔を置いて形成された補強リブである。そしてこの容器ではその中心点Ｏを点対称とする支脚部とポケット部とからなる組が該長側壁１，２および短側壁３，４に４組ずつ以下のようにして形成される。
【０００８】
即ち、長側壁１，２には、互いに点対称位置にある支脚部７Ａ，ポケット部８ＡからなるＡ組と、互いに点対称位置にある支脚部７Ｂ，ポケット部８ＢからなるＢ組と、互いに点対称位置にある支脚部７Ｃ，ポケット部８ＣからなるＣ組と、互いに点対称位置にある支脚部７Ｄ，ポケット部８ＤからなるＤ組が形成される。この支脚部７Ａ〜７Ｄは長側壁１，２の外面より外方に突出するものである。また、ポケット部８Ａ〜８Ｄは長側壁１，２の一部を外方に膨出させることで該容器の内側面が凹窪し前記支脚部７Ａ〜７Ｄが該ポケット部８Ａ〜８Ｄ中に嵌入可能なる大きさに形成される。なお、長側壁１，２の外面で支脚部７Ａ〜７Ｄの下部には縦筋状の寄せリブ９Ａ〜９Ｄが夫々突設される。
【０００９】
一方、短側壁３，４には、互いに点対称位置にある支脚部１０Ｇ，ポケット部１１ＧからなるＧ組と、互いに点対称位置にある支脚部１０Ｈ，ポケット部１１ＨからなるＨ組と、互いに点対称位置にある支脚部１０Ｉ，ポケット部１１ＩからなるＩ組と、互いに点対称位置にある支脚部１０Ｊ，ポケット部１１ＪからなるＪ組が形成される。支脚部１０Ｇ〜１０Ｊは短側壁３，４の外面より外方に突出するものある。また、ポケット部１１Ｇ〜１１Ｊは短側壁３，４の一部を外方に膨出させることで該容器の内側面が凹窪し前記支脚部１０Ｇ〜１０Ｊが該ポケット部１１Ｇ〜１１Ｊ中に嵌入可能なる大きさに形成されている。なお、短側壁３，４の外面で支脚部１０Ｇ〜１０Ｊの下部には縦筋状の寄せリブ１２Ｇ〜１２Ｊが突設される。
【００１０】
なお、上記各ポケット部８Ａ〜８Ｄ，１１Ｇ〜１１Ｊはその底部を段状に形成することにより寄せリブ９Ａ〜９Ｄ，１２Ｇ〜１２Ｊが嵌入可能なるように形成されている。
【００１１】
しかして本発明では、フランジ５の内側縁に段状に低下した凹縁部１３を形成するとともに、該容器の隅角部に相当するフランジの内周縁には該凹縁部１３と同レベルで段状に低下していて通常容器の外寸に合わせた幅寸法の通常容器位置決載置用の円弧状凹縁部１４を形成してなる。また、１５は凹縁部１３の内側縁に上記寄せリブ９Ａ〜９Ｄ，１２Ｇ〜１２Ｊに相対するように形成された凹所で、該凹所は該凹縁部１３の内側縁に容器内方に向き開放状で容器内方から見て両端部が上方広がりの斜面状なるように形成される。
【００１２】
このように構成した運搬用容器では、図６に示したように、下段の容器（ＳＮ容器）上に上段の容器（ＳＮ容器）を回転させることなく乗せた場合、下段の容器のフランジ５の凹縁部１３上に上段の容器の支脚部７Ａ〜７Ｄおよび支脚部１０Ｇ〜１０Ｊが支持されてスタッキングできる。そのとき、上段の容器の寄せリブ９Ａ〜９Ｄ，１２Ｇ〜１２Ｊが下段の容器の凹所１５に遊嵌する。また、図７に示したように、下段の容器に対して上段の容器を水平面内で１８０度回転させて乗せると、各組どうし寸法が合致することから、下段の容器の各ポケット部８Ａ〜８Ｄ，１１Ｇ〜１１Ｊに上段の容器の支脚部７Ａ〜７Ｄ，支脚部１０Ｇ〜１０Ｊが嵌入しネスティング状態となる。
【００１３】
また、下段の容器（ＳＮ容器）上に図１０に示したような同一外径の通常容器を乗せた場合には、図８に示したように、下段の容器の円弧状凹縁部１４に該通常容器の底部四隅角部が支持されこの段状形態のために上段の容器の横ズレが防がれるので、多段にも安定してスタッキングすることができる。なお、通常容器上にＳＮ容器をスタッキングすることも勿論可能である。
【００１４】
一方、図９は、本発明に係る運搬用容器の他の実施形態を示したものであって、この実施形態では、凹所１５は凹縁部の内側縁に一連に形成することにより、該凹所１５に遊嵌した寄せリブ９Ａ〜９Ｄ，１２Ｇ〜１２Ｊが該凹所内にてその長手方向に移動自由となるため、スタッキング作業の際に下段の容器のフランジ上に上段の容器を乗せてスライドさせることが可能となりスタッキング作業が行い易くなる。
【００１５】
なお、この実施形態では、長側壁１，２と短側壁３，４に共に４組ずつ支脚部とポケット部を形成したが、一方の側壁にのみ形成してもよい。またこの実施形態に示したＳＮ容器は、下段の容器に対して上段の容器を水平面内で１８０度回転させて乗せることでネスティングされるタイプを説明したが、下段の容器に対して上段の容器を水平面内で１８０度回転させて乗せることによりスタッキングできるタイプの容器にも適用できる。
【００１６】
【発明の効果】
以上説明したように本発明によれば、凹縁部の内側縁に容器内方に向き開放状で容器内方から見て両端部が上方広がりの斜面状なるように形成された凹所に上段の容器の寄せリブが遊嵌するようにしたことで、上段の容器が安定して積み上げられるとともに、容器の隅角部に相当するフランジの内周縁には同レベルで段状に低下していて通常容器の外寸に合わせた幅寸法の円弧状凹縁部を形成してなるので、既存の通常容器を該円弧状凹縁部上に安定して支持させることができ、支障無く混用することが可能となるので通常容器からの切り替えがスムースに行われるようになるなど有益な効果がある。
【図面の簡単な説明】
【図１】本発明に係る運搬用容器の実施形態を示す外観斜視図。
【図２】図１の運搬用容器の平面図。
【図３】図１の運搬用容器の側面図。
【図４】図３のＡ−Ａ線断面図。
【図５】図３のＢ−Ｂ線断面図。
【図６】本発明に係る運搬用容器のスタッキング時の側面図。
【図７】本発明に係る運搬用容器のネスティング時の側面図。
【図８】本発明に係る運搬用容器に通常容器をスタッキングした時の斜視図。
【図９】本発明に係る運搬用容器の他の実施形態を示した外観斜視図。
【図１０】通常の容器の斜視図。
【符号の説明】
１，２      長側壁
３，４      短側壁
５          フランジ
７Ａ〜７Ｄ  支脚部
８Ａ〜８Ｄ  ポケット部
９Ａ〜９Ｄ  寄せリブ
１３        凹縁部
１４        円弧状凹縁部
１５        凹所
【図１】
0003692306.tif 000002
【図２】
0003692306.tif 000003
【図３】
0003692306.tif 000004
【図４】
0003692306.tif 000005
【図５】
0003692306.tif 000006
【図６】
0003692306.tif 000007
【図７】
0003692306.tif 000008
【図８】
0003692306.tif 000009
【図９】
0003692306.tif 000010
【図１０】
0003692306.tif 000011